(57)【特許請求の範囲】
【請求項１】
ワイパアーム（１０）であって、当該ワイパアーム（１０）が、固定部分（１２）と、ワイパロッド（２４）を備えた枢着部分（１４）とから形成されており、前記固定部分（１２）が、ワイパ駆動装置の駆動軸に固定するための支承箇所（１６）を第１端部に有していて、枢着ピン（６６）もしくは少なくとも１つの枢着バー（８４，８８）を有する枢着部（１８）によって前記枢着部分（１４）に第２端部で結合されており、前記固定部分（１２）が、前記枢着ピン（６６）もしくは前記少なくとも１つの枢着バー（８４，８８）の、ウィンドシールドに対してほぼ平行に延びる枢着軸線（２０）に対して横方向にかつ前記ウィンドシールドに対してほぼ垂直に延びる側壁（４０，４２）を有しており、該側壁（４０，４２）が、少なくとも前記枢着部（１８）の領域において、少なくとも前記ウィンドシールドとは反対の側でカバー壁（６０）を介して結合されていて、前記枢着部分（１４）の側壁（４４，４６）とオーバラップしている形式のものにおいて、前記カバー壁（６０）が、前記枢着軸線（２０）から所定の間隔を有していて、前記ウィンドシールドに対して傾けられており、前記間隔が、当該ワイパアーム（１０）の操作されていない停止位置において、鉛直方向で前記固定部分（１２）の下側の前記側壁（４０）から上側の前記側壁（４２）に向かって増加しており、該上側の側壁（４２）の領域（６８）における前記枢着ピン（６６）もしくは前記枢着バー（８４，８８）が、前記下側の側壁（４０）の領域（７０）における前記枢着ピン（６６）もしくは前記枢着バー（８２，８６）よりも大きい横断面を有していることを特徴とする、ワイパアーム。
【請求項２】
前記枢着部分（１４）を前記固定部分（１２）に対して緊締する、当該ワイパアーム（１０）の軸方向に延びる唯一の引張りばね（５８）が、当該ワイパアーム（１０）の、前記ウィンドシールドに対して垂直な中心平面（６２）に対して前記上側の側壁（４２）の方向にずらされて配置されている、請求項１記載のワイパアーム。
【請求項３】
前記カバー壁（６０）と前記枢着軸線（２０）との間に給水管路（７２，７６）が配置されている、請求項１または２記載のワイパアーム。
【請求項４】
前記枢着部（１８）に２つの前記枢着バー（８２，８４；８６，８８）が設けられており、該枢着バー（８２，８４；８６，８８）の間の領域に給水管路（７６）が侵入している、請求項１または２記載のワイパアーム。
【請求項５】
前記枢着バー（８６，８８）が前記固定部分（１２）にまたは前記枢着バー（８２，８４）が前記枢着部分（１４）にプレス嵌めまたは溶接継手によって固定されている、請求項４記載のワイパアーム。
【請求項６】
当該ワイパアーム（１０）の軸方向に延びる、唯一の引張りばね（５８）を備えた構成よりも小さい直径を有する、平行に配置された２つの引張りばね（９０，９２）が設けられている、請求項４または５記載のワイパアーム。
【請求項７】
給水管路（７４，７６）が、前記引張りばね（５８）の側方に配置されている、請求項２記載のワイパアーム。
【請求項８】
前記給水管路（７６）が、複数の通路を前記給水管路（７６）の長手方向に平行に有している、請求項３、４、７のいずれか１項記載のワイパアーム。
【請求項９】
分離して配置された複数の前記給水管路（７２，７４）に、それぞれ１つの通路が設けられている、請求項３、４、７、８のいずれか１項記載のワイパアーム。
【請求項１０】
１つの通路を備えた少なくとも１つの前記給水管路（７４）が、前記引張りばね（５８）を通って延びている、請求項９記載のワイパアーム。
【発明の詳細な説明】
【０００１】
背景技術
本発明は、請求項１の上位概念部に記載した形式のワイパアームに関する。
【０００２】
公知のウィンドシールドワイパにはワイパアームが設けられており、このワイパアームは、固定部分と、この固定部分に枢着された、ワイパロッドを備えた枢着部分とから構成されている。ワイパロッドのフック状の端部は、ワイパブレードの懸吊ボックス（Ｅｉｎｈａｅｎｇｅｋａｓｔｅｎ）内に係合している。この懸吊ボックスは、センタブラケットの側壁の間に形成されていて、支承ピンを有している。枢着部をこのように形成することによって、ワイパブレードは旋回運動中にウィンドシールド上で案内される。ワイパブレードは、一般的に複数の部材から成る支持ブラケットシステムを有している。この支持ブラケットシステムは、センタブラケットに枢着された従属のブラケットを有しており、この従属のブラケットのうち、端部にクローを備えた少なくともいくつかのブラケットはワイパ条片を、このワイパ条片のヘッド条片で保持している。複数の部材から成る支持ブラケットシステムと、ヘッド条片に挿入されたスプリングストリップとによって、払拭時にワイパ条片を均一な接触圧（Ａｕｆｌａｇｅｄｒｕｃｋ）でもって、湾曲したウィンドシールドに合わせることができる。このような形式のウィンドシールドワイパは、たとえばドイツ連邦共和国特許出願公開第３７４４２３７号明細書に基づき公知である。構成を簡略化する場合には、中間ブラケットともクローブラケットとも呼ばれる従属のブラケットが省略されていてよい。最も簡単なケースでは、センタブラケット自体がクローを有しており、このクローでもってセンタブラケットがワイパ条片を保持している。
【０００３】
走行中、ウィンドシールドワイパが作動していない場合、ワイパアームとワイパブレードとは、風に対して保護されている停止位置、つまり車両のエンジンフードとウィンドシールドとの間のいわゆるフードギャップ内にしばしば位置している。フードギャップの幅は主として、払拭方向におけるワイパブレードとワイパアームとの高さに依存している。視覚的かつ流動技術的な理由から、フードギャップはできるだけ狭幅であることが望ましいので、扁平な構造が目標とされる。
【０００４】
ウィンドシールドワイパが作動する場合には、ウィンドシールドワイパは、風に対して保護されている停止位置からウィンドシールド上へ離反旋回し、支持ブラケットシステムのブラケットの周りを走行風が流れる。これによって、渦流と、高められた風圧抵抗と、風による騒音とが生じる。さらに、擦過流（Ａｎｓｔｒｏｅｍｕｎｇ）と渦流とによって、走行速度が高い場合にウィンドシールドへのワイパブレードの圧着力を低下させ、払拭性能を悪化させる揚力が生じる。高い走行速度のための圧着力が設定されると、この圧着力は、走行速度が低い場合には大きすぎるので、結果的に、摩擦力による摩耗が増大し、ぶれが非常に発生し易くなる。ワイパブレードに風案内装置、つまりいわゆるスポイラを取付けることが公知である。このスポイラは、走行風をワイパブレード上へ案内し、走行速度に関連して圧着力を高める。
【０００５】
車両におけるデザイン要求に基づき、払拭システム、つまりワイパ装置とウィンドシールドウォッシャ装置とが外側からも内側からも見えなくなることが望ましく、さらに、運転中に騒音を発生させないことが望ましい。したがって、ワイパアームは、できるだけ扁平にかつ流れに有利に形成することが望ましい。さらにウィンドシールドウォッシャ装置のための噴射ノズルがワイパアーム内に組み込まれていることが望ましく、これによって車両フードにおける噴射ノズルを省略することができる。固定部分と枢着部分との間の枢着部をウィンドシールドに対して走行風に抗するように傾けることはすでに提案されており、これによって、走行風はワイパアームの上側に圧着力を生ぜしめる。固定部分の傾斜によって、この固定部分の、ウィンドシールドに対する垂直な構造高さが増加する。さらに、固定部分と枢着部分との、下側に向けられた側壁は、走行風の方向でウィンドシールドと鋭角を成している。この場合、鋭角は揚力成分を形成し、ワイパアームの下側の流れを助成する。
【０００６】
ドイツ連邦共和国特許第４１１４５５９号明細書に基づき公知のウィンドシールドワイパにおいては、固定部分と枢着部分との側壁が、空気の流れに抗して下向きに傾けられている枢着軸線に対して垂直に延びている。このように形成された、平行四辺形の横断面を有するワイパアームにおいては、このワイパアームが、自動車のための通常のウィンドシールドワイパほど高く構成されていないので、通常のフードギャップ内に収容することができる。
【０００７】
さらに、ワイパアームに配置されたウィンドシールドウォッシャ装置が提案されている。このウィンドシールドウォッシャ装置においては、噴射ノズルに通じる給水管路が側方でワイパアームに取付けられているか、または枢着部分が固定部分に対して緊締されている引張りばねを通って敷設されている。
【０００８】
発明の効果
本発明によれば、有利には薄板曲げ部分から成っていて、内側に補強リブを有していない固定部分のカバー壁と枢着軸線との間に、ワイパアームの停止位置で、固定部分の下側の側壁を起点として上側の側壁に向かって増加する間隔が設けられている。したがって、カバー壁はウィンドシールドに対して走行風に抗するように傾けられており、これによって、走行風が圧着力を高める。側壁は、ウィンドシールドと走行風とに対してほぼ垂直に設けられている。これによって、側壁は揚力を生ぜしめなくなる。ウィンドシールドに対する垂直な構造高さは、ねじられたもしくは傾斜された枢着部を備えたワイパアームに比べて、ウィンドシールドに対する傾斜が同じである場合には著しく減じられている。
【０００９】
さらに、唯一の引張りばねを上側の側壁の方向にずらして配置し、上側の領域、つまり引張りばねによってより強く負荷されている領域における枢着ピンが、下側の側壁の領域よりも大きい横断面を有していることによって、構造高さを一層減じることができる。この場合、下側の側壁の領域における横断面がより小さいことによって、枢着軸線に対するカバー壁の間隔を減じることができる。これによって、ウィンドシールドに対するカバー壁の傾斜が同じである場合には、ウィンドシールドと走行風の流れ方向とに対する垂直な構造高さが一層減じられる。異なった横断面を有する、段付けされた枢着ピンの代わりに、各側にそれぞれ１つの枢着バーを設けることができる。この枢着バーが枢着部分に堅固に結合されているのに対して、固定部分は枢着バーに旋回可能に支承されているか、または前記枢着バーが固定部分に堅固に結合されているのに対して、枢着部分は枢着バーに旋回可能に支承されている。
【００１０】
間隔を増加させることによって、カバー壁と枢着軸線との間に、ウィンドシールドウォッシャ装置のための給水管路が配置可能である自由な構造スペースが提供されている。ウォッシャ液を両払拭方向で見てワイパブレードの前方に噴射するために、２つの別個の給水通路を設けることができ、必要な場合には、これらの給水通路を通してウォッシャ液を周期的に制御して供給することができる。請求項２以下には、それぞれの給水管路に１つの通路または複数の通路を備えた給水管路の有利な配置形式が記載してある。一般的には２つの給水通路で十分である。
【００１１】
さらなる利点が、以下の図面に基づく実施例の説明に記載してある。図面には本発明の実施例が示してある。図面、実施例の説明および請求の範囲には組み合わされた多数の特徴が記載してある。当業者はこれらの特徴を、有利には個々に考慮することもできるし、有利な別の組み合わせに統合することができる。
【００１２】
実施例の説明
以下に、本発明の実施例を図面につき詳しく説明する。
【００１３】
ワイパアーム１０は、固定部分１２と、ワイパロッド２４を備えた枢着部分１４とから構成されている。ワイパアーム１０にはワイパブレード２８が枢着されており、ワイパロッド２４のフック状の端部２６は、ワイパブレード２８のセンタブラケット３０の側壁の間に係合していて、支承ピン３２を取り囲んでいる。センタブラケット３０の端部には枢着棒３６によって、クローブラケット３４の形の従属のブラケットが枢着されており、クローブラケット３４はワイパ条片３８を保持している。
【００１４】
固定部分１２は一方の端部に支承箇所１６を有しており、この支承箇所１６で固定部分１２は、ワイパ駆動装置（図示せず）の駆動軸に固定されている。固定部分１２の他方の端部は、枢着部分１４と共に枢着部１８を形成している。この枢着部１８の領域においては、枢着部分１４の側壁４４，４６が固定部分１２の側壁４０，４２を覆っていて、枢着ピン２２によって枢着軸線２０を中心にして旋回可能に結合されている（図２参照）。一方の端部が固定部分１２における横方向ピン６４に吊されていて、他方の端部が枢着部分１４のアイ（図示せず）に係合している引張りばね５８は、枢着部１８を、曲げられた位置で保持しており、これによって、ウィンドシールドへのワイパブレード２８の圧着力が生ぜしめられる。
【００１５】
枢着ピン２２は側壁４０，４２，４４，４６を貫通しており、枢着ピン２２の一方の端部はフランジ５４によって側壁４４の外側面に軸方向で支持されているのに対して、他方の端部５６は側壁４６にリベット結合されている。これによって、枢着ピン２２は枢着部分１４で回動不能に保持されているのに対して、固定部分１２はプラスチック製の支承ブッシュ４８によって枢着部分１４に対して旋回可能に支承されている。支承ブッシュ４８は、金属同士の接触を回避するために、固定部分１２の側壁４０，４２と枢着部分１４の側壁４４，４６との間にそれぞれ１つのつば５０を有している。枢着部分１４の側壁４４，４６と固定部分１２の側壁４０，４２との間の間隔を小さく保持するために、固定部分１２の側壁４０，４２の外側面には、つば５０を部分的に軸方向で覆う段部５２が設けられている。
【００１６】
固定部分１２の側壁４０，４２は、カバー壁６０を介して互いに結合されている。このカバー壁６０は枢着軸線２０に対して傾斜して延びているので、上側の側壁４２の領域では、カバー壁６０と枢着軸線２０との間の間隔が下側の側壁４０の領域よりも大きくなっている。枢着軸線２０は、自動車のウィンドシールド（図示せず）に対してほぼ平行に延びている。この場合、ワイパアーム１０の停止位置では、側壁４０は側壁４２よりも下側に位置しているので、カバー壁６０は走行風に対して傾斜している。これによって、走行風は力成分を枢着軸線２０に対して垂直に形成し、したがって、ウィンドシールドへのワイパブレード２８の圧着力が高められる。この場合、側壁４０，４２，４４，４６は、ウィンドシールドに対して垂直な状態で保持されたままであるので、走行風は揚力成分を形成しない。さらに、固定部分１２の上側の側壁４２の領域における、ウィンドシールドに対する垂直な高さは、固定部分が、ウィンドシールドに対して平行に延びるカバー壁を有している場合よりも、傾斜によって生ぜしめられた最小寸法の分だけしか大きくない。
【００１７】
図３に示した構成では、段付けされた枢着ピン６６が設けられており、この枢着ピン６６は、上側の側壁４２における領域６８では、下側の側壁４０における領域７０よりも大きい横断面を有している。この場合、引張りばね５８は中心平面６２に対して軸方向で領域６８の方向にずらされているので、この領域６８は引張りばね５８によってより強く負荷されており、小さい横断面を有する領域７０は、相応して負荷軽減されている。領域７０の横断面がより小さいことによって、側壁４０の領域におけるカバー壁６０と枢着軸線２０との間の間隔をより小さく保持することができ、これに基づき、カバー壁６０の傾斜が同じである場合には、側壁４２の領域における最大の高さが減じられる。
【００１８】
図４に示した構成では、ウィンドシールドウォッシャ装置（図示せず）のための２つの給水管路７２，７４が設けられており、これらの給水管路７２，７４はそれぞれ１つの通路を有している。給水管路７２は、側壁４２の領域における枢着軸線２０とカバー壁６０との間の、このカバー壁６０の傾斜によって拡張された構造スペースで使用されるのに対して、第２の給水管路７４は、引張りばね５８を通って公知の形式で敷設されている。図５に示した変化実施例においては、給水管路７２の代わりに、ウォッシャ液のための２つの通路を備えた１つの給水管路７６が使用される。これによって、引張りばね５８内の給水管路７４は省略することができる。両端部が凸状に形成されていて、側壁４４，４６の、型押し加工によって形成された対応する凹部に合わせられている枢着ピン７８は側壁４４，４６に溶着されている。これによって、側壁４４，４６の外側面は滑らかな表面として保たれる。この滑らかな表面は流れ特性を助成し、視覚的な印象を改善している。さらに、この領域におけるゴミの堆積と腐食とが回避される。
【００１９】
図６に示したように、段付けされた枢着ピン６６を有する構成においては、給水管路７２，７４は、一方では、中心平面６２の近傍の、横断面が減じられた領域７０の上側に配置されており、他方では、側方にずらされた引張りばね５８の傍らに配置されている。図７に示したように、側方にずらされた引張りばねの傍らの構造スペースを、２つの通路を備えた給水管路７６のためにも使用することができる。
【００２０】
図８〜図１０に示した構成においては、枢着ピン２２の代わりに、それぞれ１つの枢着バー８２，８４が各側で使用されている。この場合、枢着バー８２，８４は、枢着部分１４の側壁４４，４６に圧入されている。固定部分１２の側壁４０，４２は、支承ブッシュ４８によって旋回可能に枢着バー８２，８４に支承されている。図９に示した構成では、枢着バー８６，８８が枢着部分１４の側壁４４，４６内で旋回可能に支承されているのに対して、枢着バー８６，８８は固定部分１２の側壁４０，４２内に圧入されている。枢着軸線２０の上側の構造スペースは、２つの別個の給水管路７２，７４（図８）のためまたは２つの通路を備えた１つの給水管路７６のために使用することができる。この場合、給水管路７２，７４，７６は、枢着バー８２，８４；８６，８８の間のスペースに侵入していてよい。図８および図９に示した構成で、引張りばね５８によって部分的に使用されるこのスペースは、唯一の引張りばね５８の代わりに、より小さい直径を有する平行に配置された２つの引張りばね９０，９２が設けられる場合には、図１０に示した構成により、給水管路７６のために完全に使用することができる。図８〜図１０に示した構成では、枢着バー８２，８４，８６，８８が均一な横断面を有している。しかし、枢着ピン８４，８８は、図３、図６および図７に示した構成における枢着ピン６６に相応して、枢着ピン８２，８６の横断面よりも大きい横断面を有していてもよい。
【図面の簡単な説明】
【図１】  ワイパアームとワイパブレードとを備えたウィンドシールドワイパの平面図である。
【図２】  図１のＩＩ−ＩＩ線に沿った断面図である。
【図３】  図２に示した断面図の第１変化実施例を示す図である。
【図４】  図２に示した断面図の第２変化実施例を示す図である。
【図５】  図２に示した断面図の第３変化実施例を示す図である。
【図６】  図２に示した断面図の第４変化実施例を示す図である。
【図７】  図２に示した断面図の第５変化実施例を示す図である。
【図８】  図２に示した断面図の第６変化実施例を示す図である。
【図９】  図２に示した断面図の第７変化実施例を示す図である。
【図１０】  図２に示した断面図の第８変化実施例を示す図である。
【符号の説明】
１０  ワイパアーム、１２  固定部分、１４  枢着部分、１６  支承箇所、１８  枢着部、２０  枢着軸線、２２  枢着ピン、２４  ワイパロッド、２６  端部、２８  ワイパブレード、３０  センタブラケット、３２  支承ピン、３４  クローブラケット、３６  枢着棒、３８  ワイパ条片、４０，４２，４４，４６  側壁、４８  支承ブッシュ、５０  つば、５２  段部、５４  フランジ、５６  端部、５８  引張りばね、６０  カバー壁、６２  中心平面、６４  横方向ピン、６６  枢着ピン、６８，７０  領域、７２，７４，７６  給水管路、７８  枢着ピン、８２，８４，８６，８８  枢着バー
【図１】
0004436976.tif 000002
【図２】
0004436976.tif 000003
【図３】
0004436976.tif 000004
【図４】
0004436976.tif 000005
【図５】
0004436976.tif 000006
【図６】
0004436976.tif 000007
【図７】
0004436976.tif 000008
【図８】
0004436976.tif 000009
【図９】
0004436976.tif 000010
【図１０】
0004436976.tif 000011